(57)【要約】本発明は、一般的にデジタル情報の作成およびデジタル放送に関し、さらに詳しくは、映像ストリームをデジタル情報と結合するためのシステムおよび方法に関する。映像ストリームにデジタル情報を結合するために提示された解決策はデジタルテレビジョンネットワーク、第三世代移動体通信ネットワーク、およびＩＰネットワーク（ＩＰ、インターネットプロトコル）など、様々な将来のネットワークで利用することができる。【選択図】図２
2005506769.tif 000002
【特許請求の範囲】
【請求項１】
デジタル情報を送信および受信するためのデジタル伝送システムにおいて、
−異なる音声および映像ソースからの記録信号を単一の映像番組ストリームに結合するための処理手段（１５）と、
−選択された映像番組ストリーム内のアクティブエリアを定義するための動き追跡手段（１６）と、
−適切なアプリケーションデータを映像番組ストリーム内の対応するアクティブエリアにリンクするためのリンク手段と、
−トランスポートネットワーク（１０）で映像ストリームを受信側に送信するための送信手段と、
−入来する映像ストリームを受信するための受信手段（４８）と、
−モニタされた番組をユーザに提示するためのモニタリング手段（４９）と、
−受信手段（４８）およびモニタリング手段（４９）を制御するための制御手段（５０）と、
を備えることを特徴とするデジタル伝送システム。
【請求項２】
前記送信手段が格納および転送手段（１９）と、異なるデジタル映像番組ストリームおよびデジタルデータストリームを多重番組トランスポートストリームに多重化するための多重化手段（６）と、送信手段（９）とを含み、格納および転送手段（１９）が異なるアプリケーション（２０）からのアプリケーションデータを受け取り、適切なアプリケーションデータを多重化手段（６）に転送するように構成することを特徴とする請求項１に記載のデジタル伝送システム。
【請求項３】
前記動き追跡手段（１６）はアクティブエリアの知識を、格納および転送手段（１９）を介して前記多重化手段（６）に転送することを特徴とする請求項１又は２に記載のデジタル伝送システム。
【請求項４】
前記動き追跡手段（１６）はアクティブエリアの知識を、システム情報テーブル（８）を介して前記多重化手段（６）に転送することを特徴とする請求項１又は２に記載のデジタル伝送システム。
【請求項５】
前記動き追跡手段（１６）はアクティブエリアの知識を前記多重化手段（６）に直接転送することを特徴とする請求項１又は２に記載のデジタル伝送システム。
【請求項６】
前記格納および転送手段（１９）がカルーセルユニット（２５）と、一つまたはそれ以上のクライアントユニット（２１）〜（２３）への接続を有するデータベースサーバ（２４）とを持ち、データベースサーバ（２４）がクライアントユニット（２１）〜（２３）から情報を受け取り、クライアント情報を格納し、クライアント情報をカルーセルユニット（２５）に転送し、かつカルーセルユニット（２５）がアクティブエリアに対応する適切なアプリケーションデータを多重化手段（６）に転送するように構成することを特徴とする請求項２〜５のいずれか一項に記載のデジタル伝送システム。
【請求項７】
前記格納および転送手段（１９）はまた、データベースサーバ（２４）およびカルーセルユニット（２５）の両方を制御する自動化システム（２６）をも持つことを特徴とする請求項２〜６のいずれか一項に記載のデジタル伝送システム。
【請求項８】
デジタル伝送システムでアプリケーションデータを映像番組ストリームに結合するためのデータ結合構成において、
−異なる音声および映像ソースからの記録信号を単一の映像番組ストリームに結合するための処理手段（１５）と、
−選択された映像番組ストリーム内のアクティブエリアを定義するための動き追跡手段（１６）と、
−適切なアプリケーションデータを映像番組ストリーム内の対応するアクティブエリアにリンクするためのリンク手段と、
−トランスポートネットワーク（１０）で映像ストリームを受信側に送信するための送信手段と、
を備えることを特徴とするデータ結合構成。
【請求項９】
前記送信手段が格納および転送手段（１９）と、異なるデジタル映像番組ストリームおよびデジタルデータストリームを多重番組トランスポートストリームに多重化するための多重化手段（６）と、送信手段（９）とを含み、格納および転送手段（１９）が異なるアプリケーション（２０）からのアプリケーションデータを受け取り、適切なアプリケーションデータを多重化手段（６）に転送するように構成することを特徴とする請求項８に記載のデータ結合構成。
【請求項１０】
前記動き追跡手段（１６）はアクティブエリアの知識を、格納および転送手段（１９）を介して前記多重化手段（６）に転送することを特徴とする請求項８又は９に記載のデータ結合構成。
【請求項１１】
前記動き追跡手段（１６）はアクティブエリアの知識を、システム情報テーブル（８）を介して前記多重化手段（６）に転送することを特徴とする請求項８又は９に記載のデータ結合構成。
【請求項１２】
前記動き追跡手段（１６）はアクティブエリアの知識を前記多重化手段（６）に直接転送することを特徴とする請求項８又は９に記載のデータ結合構成。
【請求項１３】
前記格納および転送手段（１９）がカルーセルユニット（２５）と、一つまたはそれ以上のクライアントユニット（２１）〜（２３）への接続を有するデータベースサーバ（２４）とを持ち、データベースサーバ（２４）がクライアントユニット（２１）〜（２３）から情報を受け取り、クライアント情報を格納し、クライアント情報をカルーセルユニット（２５）に転送し、かつカルーセルユニット（２５）がアクティブエリアに対応する適切なアプリケーションデータを多重化手段（６）に転送するように構成することを特徴とする請求項９〜１２のいずれか一項に記載のデータ結合構成。
【請求項１４】
前記格納および転送手段（１９）はまた、データベースサーバ（２４）およびカルーセルユニット（２５）の両方を制御する自動化システム（２６）をも持つことを特徴とする請求項９〜１３のいずれか一項に記載のデータ結合構成。
【請求項１５】
選択された映像番組ストリーム内のアクティブエリアは、
−ロック点を選択し、
−ロック点付近でアクティブエリアを定義し、
−動き追跡手段（１６）を使用して選択された映像番組ストリームにおけるロック点およびアクティブエリアの動きを追跡する
ことによって定義することを特徴とする請求項９〜１４のいずれか一項に記載のデータ結合構成。
【請求項１６】
ロック点の動きは、相互に続くフレーム間の相違に基づいて算出することを特徴とする請求項１５に記載のデータ結合構成。
【請求項１７】
ロック点はベクトルにより定義することを特徴とする請求項１５又は１６に記載のデータ結合構成。
【請求項１８】
ロック点は座標により定義されることを特徴とする請求項１５又は１６に記載のデータ結合構成。
【請求項１９】
特定のロック点に対応するアクティブエリアは、ロック点に関連する関数または関数群として定義することを特徴とする請求項１５〜１８のいずれか一項に記載のデータ結合構成。
【請求項２０】
アクティブエリアはフレーム毎に更新することを特徴とする請求項１５〜１９のいずれか一項に記載のデータ結合構成。
【請求項２１】
アクティブエリアはＸ個のフレームに対して同一のままであり、Ｘ番目のフレーム毎に更新され、ここでＸは整数であることを特徴とする請求項１５〜１９のいずれか一項に記載のデータ結合構成。
【請求項２２】
アクティブエリアのサイズおよび形状は、相互に近接して位置するロック点間の距離に依存することを特徴とする請求項１５〜２１のいずれか一項に記載のデータ結合構成。
【請求項２３】
アクティブエリアのサイズおよび形状は、相互に近接して位置するアクティブエリア間の距離に依存することを特徴とする請求項１５〜２１のいずれか一項に記載のデータ結合構成。
【請求項２４】
デジタル伝送システムでアプリケーションデータと結合された映像番組ストリームを提示するためのデータ提示構成において、
−アプリケーションデータが関連映像番組ストリームにリンクされ、かつ異なる映像番組ストリームが全て多重番組トランスポートストリームに多重化されて成るデジタル放送システムから、入来する映像ストリームを受信するための受信手段（４８）と、
−モニタされた番組をユーザに提示するためのモニタリング手段（４９）と、
−受信手段（４８）およびモニタリング手段（４９）を制御するための制御手段（５０）と、
を備えることを特徴とするデータ提示構成。
【請求項２５】
受信ユニット（４８）およびモニタリングユニット（４９）は一つのユニットとして結合することを特徴とする請求項２４に記載のデータ提示構成。
【請求項２６】
受信ユニット（４８）、モニタリングユニット（４９）、およびユーザ制御装置（５０）は一つのユニットとして結合することを特徴とする請求項２４に記載のデータ提示構成。
【請求項２７】
前記データ提示構成はまた、トランスポートネットワーク（５２）でユーザからサービスプロバイダ（５３）へ情報を送信するための送信手段（５１）をも含むことを特徴とする請求項２４に記載のデータ提示構成。
【請求項２８】
前記制御装置（５０）は、送信ユニット（５１）を制御するためにも使用されることを特徴とする請求項２７に記載のデータ提示構成。
【請求項２９】
送信ユニット（５１）は、ユーザからサービスプロバイダ（５３）へ商取引要求を送信するように装備することを特徴とする請求項２７又は２８に記載のデータ提示構成。
【請求項３０】
送信ユニット（５１）は、サービスプロバイダ（５３）からユーザへの確認を受信するように装備することを特徴とする請求項２７〜２９のいずれか一項に記載のデータ提示構成。
【請求項３１】
受信ユニット（４８）、モニタリングユニット（４９）、および送信ユニット（５１）は一つのユニットとして結合することを特徴とする請求項２７〜３０のいずれか一項に記載のデータ提示構成。
【請求項３２】
受信ユニット（４８）、モニタリングユニット（４９）、およびユーザ制御装置（５０）、送信ユニット（５１）は一つのユニットとして結合することを特徴とする請求項２７〜３０のいずれか一項に記載のデータ提示構成。
【請求項３３】
前記モニタリングユニット（４９）は、可動カーソル（５５）を備えたスクリーンディスプレイ（５４）、（５７）と、カーソル位置検出用の手段とを持つことを特徴とする請求項２４〜３２のいずれか一項に記載のデータ提示構成。
【請求項３４】
入来する多重番組ストリームが、モニタリングユニット（４９）用の可動カーソル（５５）を生成するために使用されるアプリケーションをも含むことを特徴とする請求項３３に記載のデータ提示構成。
【請求項３５】
前記可動カーソル（５５）はユーザ制御装置（５０）により制御することを特徴とする請求項３３又は３４に記載のデータ提示構成。
【請求項３６】
入来する多重番組ストリームは、デジタル映像番組内の選択されたロック点の動きを常に追跡し、かつロック点に関連するアクティブエリアの位置をカーソルの移動と常に比較するために使用されるアプリケーションをも含むことを特徴とする請求項３３〜３５のいずれか一項に記載のデータ提示構成。
【請求項３７】
前記スクリーンディスプレイ（５４）、（５７）は一組の選択ボタン（５６）を有しており、前記選択ボタン（５６）はユーザ制御装置（５０）により制御することができることを特徴とする請求項３６に記載のデータ提示構成。
【請求項３８】
定義されたアクティブエリアにカーソルを移動させたときに、第一のデータアプリケーションが自動的に始動することを特徴とする請求項３６又は３７に記載のデータ提示構成。
【請求項３９】
データアプリケーションは最初にユーザに確認プロンプト（５８）を示し、ユーザがデータアプリケーションを続行することを希望することをユーザ制御装置（５０）で確認するようにユーザに要求することを特徴とする請求項３６〜３８のいずれか一項に記載のデータ提示構成。
【請求項４０】
データアプリケーションは、選択されたアクティブエリアに関連する情報（５９）を示すことを特徴とする請求項３６〜３９のいずれか一項に記載のデータ提示構成。
【請求項４１】
データアプリケーションはユーザに選択ボタンを表示することを特徴とする請求項４０に記載のデータ提示構成。
【請求項４２】
データアプリケーションは製品の購入を確認する選択ボタン（６０）、（６４）を示すことを特徴とする請求項４１に記載のデータ提示構成。
【請求項４３】
結合された映像ストリームとデータを送信および受信するための方法において、
−映像ストリームにおけるアクティブエリアのデータを定義するステップ（６５）と、
−データおよび映像番組をトランスポートネットワーク（１０）で受信側に送信するステップ（６６）と、
−データおよび映像番組を受信側で受信するステップ（６７）と、
−データおよび映像番組ストリームをユーザに提示するステップ（６８）と、
を含むことを特徴とする方法。
【請求項４４】
映像ストリームをデータと結合するための方法において、
−映像ストリームにおける入来デジタル映像番組の単一画像でロック点を選択するステップ（６９）と、
−選択されたロック点に対しアクティブエリアを定義するステップ（７０）と、
−アクティブエリアに対しデータおよびアプリケーションを定義するステップ（７１）と、
を含むことを特徴とする方法。
【請求項４５】
結合された映像ストリームとデータを提示するための方法において、
−データサービスが存在することをユーザに告げるステップ（７２）と、
−カーソルの位置を検出し（７３）、カーソルの位置と、多重番組トランスポートストリームで受信したアプリケーションによって検出されたアクティブエリアの位置とを比較するステップと、
−カーソルがアクティブエリアにあることが検出されたとき（７４）に、データアプリケーションからの検索データを提示するステップ（７５）と、
を含むことを特徴とする方法。
【請求項４６】
カーソルがアクティブエリアにあることが検出されたとき（７４）に、
−データサービスが存在することがユーザに告げられ（７２）、
−ユーザ承認が検出され（７７）、
−データアプリケーションからの検索データが提示される（７５）
ことを特徴とする請求項４５に記載の提示方法。
【請求項４７】
デジタル伝送システムで商取引を実行するための方法において、
−データサービスが存在することをユーザに告げるステップ（７２）と、
−カーソルの位置を検出するステップ（７３）と、
−カーソルがアクティブエリアにあることが検出されたとき（７４）に、データアプリケーションからの検索データを提示するステップ（７５）と、
−ユーザが商取引を実行するステップ（７８）と、
を含むことを特徴とする方法。
【発明の詳細な説明】
【０００１】
発明の技術分野
本発明は、一般的にデジタル情報の作成およびデジタル放送に関し、さらに詳しくは、映像ストリームをデジタル情報と結合するためのシステムおよび方法に関する。
【０００２】
発明の背景
デジタル情報の作成およびデジタル放送は近年急速に発展してきた。例えば、今日の映像またはＤＶＤ（ＤＶＤ、デジタル多用途ディスク）は使用者に、コンテンツの視聴方法について多数の異なる選択肢を提供する。
【０００３】
先行技術の本発明に対する関係を関係をより良く理解するために、先行技術のデジタル放送システムを示す添付の図１を参照する。
【０００４】
図１は、先行技術のデジタル放送システムを示す。提示した先行技術の放送システムは、幾つかの音声および映像ソース、例えばビデオカメラおよび他の映像ソースを有する。先行技術のデジタル放送システムは映像処理ユニット１、放送ユニット２、マルチプレクサ６、および送信機ユニット９を有する。放送ユニット２は、プレイアウトユニット３、放送自動化システム４、およびデータカルーセルユニット５を有する。
【０００５】
ビデオカメラは最初にイベントを記録映像信号に記録している。記録された映像信号は次に映像処理ユニット１に転送され、それは異なる記録映像信号を単一の映像番組ストリームに結合するために使用される。映像処理ユニット１では、記録された映像信号の調整、編集、および修正（映像処理）が一般的に行なわれる。
【０００６】
処理された単一の映像番組ストリームは次にプレイアウトユニット３に転送される。プレイアウトユニット３は通常、幾つかの映像番組ストリームの処理を行なう。これらの番組ストリームは次いでマルチプレクサ６に転送され、それは異なる映像番組ストリームを多重番組トランスポートストリームに多重化するために使用される。
【０００７】
今日では、データを映像番組ストリームに結合することが可能である。このデータは一般的にテレテキストページ、例えば空港スケジュール情報の形で提示される。アプリケーションデータは通常デジタル記憶媒体に格納される。デジタル記憶媒体は例えばデータカルーセル５とすることができ、そこから前記アプリケーションデータがマルチプレクサ６に転送される。マルチプレクサ６は、異なるデジタル映像番組ストリームおよびデジタルデータストリームを多重番組トランスポートストリームに多重化するために使用される。
【０００８】
データカルーセル５は基本的にメモリデータベースであり、そこで様々なアプリケーションソース７からのデータセットがバッファへアセンブルされる。バッファからデータセットは周期的にプレイアウトされる。マルチプレクサ６にリンクされたシステム情報テーブル８もある。
【０００９】
マルチプレクサ９から放送ストリームは送信機ユニット９へ転送される。送信機ユニット９は、トランスポートネットワーク１０で受信ユニット１１へストリームを送信する。受信ユニット１１はモニタリングユニット１２、例えばテレビジョンで情報を提示する。モニタリングユニット１２および／または受信ユニット１１は制御ユニット１３によって制御することができる。
【００１０】
発明の概要
本発明の目的は、先行技術の弱点を克服または少なくとも緩和することである。本発明は、デジタル情報を送信および受信するためのシステムおよび方法、デジタル情報結合手段、デジタル情報提示手段、映像ストリームをデジタル情報と結合するための方法、映像ストリームと結合されたデジタル情報を提示するための方法、およびデジタル伝送システムで商取引を実行するための方法を提供する。
【００１１】
本発明の第一の態様では、デジタル情報を送信および受信するためのシステムであって、
−異なる音声および映像ソースからの記録信号を単一の映像番組ストリームに結合するための処理手段と、
−選択された映像番組ストリーム内のアクティブエリアを定義するための動き追跡手段と、
−適切なアプリケーションデータを映像番組ストリーム内の対応するアクティブエリアにリンクするためのリンク手段と、
−トランスポートネットワークで映像ストリームを受信側に送信するための送信手段と、
−入来する映像ストリームを受信するための受信手段と、
−モニタされた番組をユーザに提示するためのモニタリング手段と、
−受信手段およびモニタリング手段を制御するための制御手段と、
を備えたシステムを提供する。
【００１２】
デジタル情報を送信および受信するためのシステムでは、前記送信手段が格納および転送手段と、異なるデジタル映像番組ストリームおよびデジタルデータストリームを多重番組トランスポートストリームに多重化するための多重化手段と、送信手段とを含み、格納および転送手段が異なるアプリケーションからのアプリケーションデータを受け取り、適切なアプリケーションデータを多重化手段に転送するように構成することが好ましい。
【００１３】
デジタル情報を送信および受信するためのシステムでは、前記動き追跡手段がアクティブエリアの知識を、格納および転送手段を介して前記多重化手段に転送することが好ましい。代替的に、前記動き追跡手段はアクティブエリアの知識を、システム情報テーブルを介して前記多重化手段に転送する。代替的に、前記動き追跡手段はアクティブエリアの知識を前記多重化手段に直接転送する。
【００１４】
デジタル情報を送信および受信するためのシステムでは、前記格納および転送手段がカルーセルユニットと、一つまたはそれ以上のクライアントユニットへの接続を有するデータベースサーバとを持ち、データベースサーバがクライアントユニットから情報を受け取り、クライアント情報を格納し、クライアント情報をカルーセルユニットに転送し、かつカルーセルユニットがアクティブエリアに対応する適切なアプリケーションデータを多重化手段に転送するように構成することが好ましい。前記格納および転送手段はまた、データベースサーバおよびカルーセルユニットの両方を制御する自動化システムをも持つことがさらに好ましい。
【００１５】
本発明の第二の態様では、デジタル伝送システムでアプリケーションデータを映像番組ストリームに結合するためのデータ結合構成であって、
−異なる音声および映像ソースからの記録信号を単一の映像番組ストリームに結合するための処理手段と、
−選択された映像番組ストリーム内のアクティブエリアを定義するための動き追跡手段と、
−適切なアプリケーションデータを映像番組ストリーム内の対応するアクティブエリアにリンクするためのリンク手段と、
−トランスポートネットワークで映像ストリームを受信側に送信するための送信手段と、
を備えたデータ結合構成を提供する。
【００１６】
データ結合構成では、前記送信手段が格納および転送手段と、異なるデジタル映像番組ストリームおよびデジタルデータストリームを多重番組トランスポートストリームに多重化するための多重化手段と、送信手段とを含み、格納および転送手段が異なるアプリケーションからのアプリケーションデータを受け取り、適切なアプリケーションデータを多重化手段に転送するように構成することが好ましい。
【００１７】
データ結合構成では、前記動き追跡手段がアクティブエリアの知識を、格納および転送手段を介して前記多重化手段に転送することが好ましい。代替的に、前記動き追跡手段はアクティブエリアの知識を、システム情報テーブルを介して前記多重化手段に転送する。代替的に、前記動き追跡手段はアクティブエリアの知識を前記多重化手段に直接転送する。
【００１８】
データ結合構成では、前記格納および転送手段がカルーセルユニットと、一つまたはそれ以上のクライアントユニットへの接続を有するデータベースサーバとを持ち、データベースサーバがクライアントユニットから情報を受け取り、クライアント情報を格納し、クライアント情報をカルーセルユニットに転送し、かつカルーセルユニットがアクティブエリアに対応する適切なアプリケーションデータを多重化手段に転送するように構成することが好ましい。
【００１９】
前記格納および転送手段はまた、データベースサーバおよびカルーセルユニットの両方を制御する自動化システムをも持つことが好ましい。選択された映像番組ストリーム内のアクティブエリアは、
−ロック点を選択し、
−ロック点付近でアクティブエリアを定義し、
−動き追跡手段を使用して選択された映像番組ストリームにおけるロック点およびアクティブエリアの動きを追跡する
ことによって定義することが好ましい。
【００２０】
ロック点の動きは、相互に続くフレーム間の相違に基づいて算出することがさらに好ましい。ロック点はベクトルにより定義することが好ましい。代替的にロック点は座標により定義される。
【００２１】
特定のロック点に対応するアクティブエリアは、ロック点に関連する関数または関数群として定義することが好ましい。アクティブエリアはフレーム毎に更新することが好ましい。代替的に、アクティブエリアはＸ個のフレームに対して同一のままであり、Ｘ番目のフレーム毎に更新される。ここでＸは整数である。アクティブエリアのサイズおよび形状は、相互に近接して位置するロック点間の距離に依存することが好ましい。代替的に、アクティブエリアのサイズおよび形状は、相互に近接して位置するアクティブエリア間の距離に依存する。
【００２２】
本発明の第三の態様では、デジタル伝送システムでアプリケーションデータと結合された映像番組ストリームを提示するためのデータ提示構成であって、
−アプリケーションデータが関連映像番組ストリームにリンクされ、かつ異なる映像番組ストリームが全て多重番組トランスポートストリームに多重化されて成るデジタル放送システムから、入来する映像ストリームを受信するための受信手段と、
−モニタされた番組をユーザに提示するためのモニタリング手段と、
−受信手段およびモニタリング手段を制御するための制御手段と、
を備えたデータ提示構成を提供する。
【００２３】
受信ユニットおよびモニタリングユニットは一つのユニットとして結合することが好ましい。代替的に、受信ユニット、モニタリングユニット、およびユーザ制御装置を一つのユニットとして結合する。
【００２４】
前記データ提示構成はまた、トランスポートネットワークでユーザからサービスプロバイダへ情報を送信するための送信手段をも含むことが好ましい。前記制御装置が、送信ユニットを制御するためにも使用されることがさらに好ましい。
【００２５】
送信ユニットは、ユーザからサービスプロバイダへ商取引要求を送信するように装備することが好ましい。送信ユニットは、サービスプロバイダからユーザへの確認を受信するように装備することが好ましい。
【００２６】
受信ユニット、モニタリングユニット、および送信ユニットは一つのユニットとして結合することが好ましい。代替的に、受信ユニット、モニタリングユニット、およびユーザ制御装置、送信ユニットは一つのユニットとして結合する。
【００２７】
前記モニタリングユニットは、可動カーソルを備えたスクリーンディスプレイと、カーソル位置検出用の手段とを持つことが好ましい。入来する多重番組ストリームが、モニタリングユニット用の可動カーソルを生成するために使用されるアプリケーションをも含むことがさらに好ましい。前記可動カーソルはユーザ制御装置により制御することができることが好ましい。
【００２８】
入来する多重番組ストリームは、デジタル映像番組内の選択されたロック点の動きを常に追跡し、かつロック点に関連するアクティブエリアの位置をカーソルの移動と常に比較するために使用されるアプリケーションをも含むことが好ましい。前記スクリーンディスプレイは一組の選択ボタンを有しており、該選択ボタンはユーザ制御装置により制御することができることがさらに好ましい。
【００２９】
定義されたアクティブエリアにカーソルを移動させたときに、第一のデータアプリケーションが自動的に始動することが好ましい。データアプリケーションは最初にユーザに確認プロンプトを示し、ユーザがデータアプリケーションを続行することを希望することをユーザ制御装置で確認するようにユーザに要求することが好ましい。
【００３０】
データアプリケーションは、選択されたアクティブエリアに関連する情報を示すことが好ましい。データアプリケーションはユーザに選択ボタンを表示することがさらに好ましい。データアプリケーションは製品の購入を確認する選択ボタンを示すことがさらに好ましい。
【００３１】
本発明の第四の態様では、結合された映像ストリームとデータを送信および受信するための方法であって、
−映像ストリームにおけるアクティブエリアのデータを定義するステップと、
−データおよび映像番組をトランスポートネットワークで受信側に送信するステップと、
−データおよび映像番組を受信側で受信するステップと、
−データおよび映像番組ストリームをユーザに提示するステップと、
を含む方法を提供する。
【００３２】
本発明の第五の態様では、映像ストリームをデータと結合するための方法であって、
−映像ストリームにおける入来デジタル映像番組の単一画像でロック点を選択するステップと、
−選択されたロック点に対しアクティブエリアを定義するステップと、
−アクティブエリアに対しデータおよびアプリケーションを定義するステップと、
を含む方法を提供する。
【００３３】
本発明の第六の態様では、結合された映像ストリームとデータを提示するための方法であって、
−データサービスが存在することをユーザに告げるステップと、
−カーソルの位置を検出し、カーソルの位置と、多重番組トランスポートストリームで受信したアプリケーションによって検出されたアクティブエリアの位置とを比較するステップと、
−カーソルがアクティブエリアにあることが検出されたときに、データアプリケーションからの検索データを提示するステップと、
を含む方法を提供する。
【００３４】
カーソルがアクティブエリアにあることが検出されたときに、
−データサービスが存在することがユーザに告げられ、
−ユーザ承認が検出され、
−データアプリケーションからの検索データが提示される
ことが好ましい。
【００３５】
本発明の第七の態様では、デジタル伝送システムで商取引を実行するための方法であって、
−データサービスが存在することをユーザに告げるステップと、
−カーソルの位置を検出するステップと、
−カーソルがアクティブエリアにあることが検出されたときに、データアプリケーションからの検索データを提示するステップと、
−ユーザが商取引を実行するステップと、
を含む方法を提供する。
【００３６】
図面の簡単な記述
本発明をよりよく理解するため、およびそれをいかに実施することができるかを示すために、今から添付の図面を参照して説明する。
図１は先行技術のデジタル放送システムを示す。
図２は本発明に係るデジタル放送システムを示す。
図３は本発明に係るデジタル放送システムのデジタル記憶媒体を示す。
図４は本発明に係るデジタル放送システムにおける複数のアクティブなアプリケーションを作動させる構造を示す。
図５は本発明に係るデジタル映像番組におけるロック点の選択を示す。
図６は本発明に係るデジタル映像番組で選択されたロック点に対するアクティブエリアの定義付けを示す。
図７は本発明に係るデジタル映像番組におけるロック点の選択およびベクトルによるアクティブエリアの定義付けを示す。
図８は本発明に係るデジタル映像番組におけるベクトルによるアクティブエリアの定義付けおよびカーソルの移動を示す。
図９は本発明に係るデジタル映像番組におけるロック点の選択および座標によるアクティブエリアの定義付けを示す。
図１０は本発明に係るデジタル映像番組における座標によるアクティブエリアの定義付けおよびカーソルの移動を示す。
図１１はデータと結合された映像ストリームを受信するための本発明に係る受信システムを示す。
図１２はデータと結合された映像ストリームを受信するための本発明に係る受信システムの別の実施形態を示す。
図１３は本発明に係るモニタリングユニットを示す。
図１４は本発明に係る受信システムにおけるデータアプリケーションの始動を示す。
図１５は本発明に係る受信システムにおけるデータアプリケーションのさらなるオプションの始動を示す。
図１６は結合された映像ストリームとデータを送信および受信するための本発明に係る方法を示す。
図１７は映像ストリームをデータと結合するための本発明に係る方法を示す。
図１８は結合された映像ストリームとデータを提示するための本発明に係る方法を示す。
図１９は結合された映像ストリームとデータを提示するための本発明に係る第二の代替的方法を示す。
図２０は結合された映像ストリームとデータを提示するための本発明に係る第三の代替的方法を示す。
【００３７】
先行技術を示す図１については先に論じた。以下では、図２〜２０を参照して説明する。
【００３８】
特定の実施形態の詳細な説明
図２は、本発明に係るデジタル放送システムを示す。提示されたデジタル放送システムは幾つかの音声および映像ソース、例えばビデオカメラおよび他の映像ソースを有する。先行技術のデジタル放送システムは製作ユニット１４、放送ユニット２、マルチプレクサ６、および送信機ユニット９を有する。製作ユニット１４は映像処理ユニット１５および動き追跡ユニット１６を有する。放送ユニット１７はプレイアウトユニット３、放送自動化システム１８、およびデータカルーセルユニット１９を有する。
【００３９】
ビデオカメラは最初にイベントを記録映像信号に記録している。記録された映像信号は次に映像処理ユニット１５に転送され、それは異なる記録映像信号を単一の映像番組ストリームに結合するために使用される。
【００４０】
処理された単一の映像番組ストリームは次にプレイアウトユニット３に転送される。プレイアウトユニット３は通常、幾つかの映像番組ストリームの処理を行なう。これらの番組ストリームは次いでマルチプレクサ６に転送され、それは異なるデジタル映像番組ストリームおよびデジタルデータストリームを多重番組トランスポートストリームに多重化するために使用される。
【００４１】
本発明に係るデジタル放送システムでは、映像処理ユニット１５は、選択された映像番組ストリームを動き追跡ユニット１６へも転送する。動き追跡ユニット１６は、標準動き追跡技術を利用して、相互に続く映像フレーム間の動きを追跡するユニットである。
【００４２】
動き追跡ユニット１６には、選択された映像番組ストリームで定義されたアクティブエリアがある。次いでこれらのアクティブエリアの知識はマルチプレクサ６へ転送される。また、マルチプレクサ６にリンクされたシステム情報テーブル８もある。
【００４３】
本発明に係るデジタル放送システムには、デジタル記憶媒体（ＤＳＭ）、例えばデータカルーセルユニット１９もある。データカルーセルユニット１９はまた、様々なアプリケーション２０からアプリケーションデータをも受け取る。次いでアプリケーションデータはマルチプレクサ６へ転送される。マルチプレクサ６は、様々なデジタル映像番組ストリームおよびデジタルデータストリームを多重番組トランスポートストリームに多重化するために使用される。
【００４４】
動き追跡ユニット１６はまた、アクティブエリアの知識をデジタル記憶媒体（ＤＳＭ）、例えばデータカルーセルユニット１９に転送することもできる。データカルーセルユニット１９には、様々なアプリケーションから受け取ったアプリケーションデータもある。アクティブエリアの知識および適切なアプリケーションデータはマルチプレクサ６へ転送される。マルチプレクサ６は、様々なデジタル映像番組ストリームおよびデジタルデータストリームを多重番組トランスポートストリームに多重化するために使用される。
【００４５】
動き追跡ユニット１６はアクティブエリアの知識を、システム情報テーブル８を介してマルチプレクサ６へ転送することもできる。マルチプレクサ６から、放送ストリームは送信機ユニット９へ転送される。送信機ユニット９はストリームをトランスポートネットワーク１０で受信側へ送信する。
【００４６】
図３は、本発明に係るデジタル放送システムのデジタル記憶媒体を示す。この図で、映像番組ストリームは、様々なデジタル映像番組ストリームおよびデジタルデータストリームを送信機ユニット９に転送される多重番組トランスポートストリームに多重化するために使用されるマルチプレクサ６によって、プレイアウトユニット３から受信される。
【００４７】
本発明に係るデジタル放送システムでは、デジタル記憶媒体は番号１９により示される。デジタル記憶媒体１９は、デジタル記憶媒体１９のデータベースサーバ２４にクライアント情報を与える一つまたはそれ以上のクライアントユニット２１〜２３を有する。
【００４８】
データベースサーバ２４は、クライアントユニット２１〜２３から受け取った情報を格納し、それをカルーセルユニット２５へ転送する。カルーセルユニット２５は、アクティブエリアに対応する適切なアプリケーションデータをマルチプレクサ６へ転送する。デジタル記憶媒体１９はまた、データベースサーバ２５およびカルーセルユニット２５の両方を制御する制御システム２６をも有する。マルチプレクサ６は、様々なデジタル映像番組ストリームおよびデジタルデータストリームを多重番組トランスポートストリームに多重化するために使用される。
【００４９】
図４は、本発明に係るデジタル放送システムで複数のアクティブなアプリケーションを作動させる構造を示す。アプリケーションおよびアクティブエリアは順次および同時のどちらでも表示させることができる。本発明では、映像番組ストリーム内に、定義されたアクティブエリアとリンクされたデータアプリケーション２９、３１、３３がある。これらのデータアプリケーション２９、３１、３３の各々が指定された起動時間間隔を有し、その間に前記データアプリケーション２９、３１、３３を番組フロー中にアクティブエリアから起動させることができる。これらの起動時間間隔は、システム情報フロー２７中の数字（１）,（２）,（３）,（４）で識別されている。
【００５０】
例えばデータアプリケーション２９は、番組フローの起動時間間隔（１）中にだけアクティブエリアから起動させることができる。それぞれデータアプリケーション３１および３３は、起動時間間隔（２）および（３）の間にだけ起動させることができる。したがってデータアプリケーション２９は、数字２８でマークされた時間間隔に開始することができるが、その後はできない。それぞれデータアプリケーション３１および３３は、数字３０および３２でマークされた時間間隔に開始することができるが、その後はできない。とにかくひとたび起動されたデータアプリケーション２９、３１，３３は、始動時間間隔２８、３０、３２が経過した後も実行し続ける。
【００５１】
図５は、本発明に係るデジタル映像番組におけるロック点の選択を示す。本発明に係るデジタル放送システムには、デジタル映像番組の単一の画像３４内に選択されたロック点がある。画像３４で、女性の眉毛に一つのロック点があり、女性の下のまぶたに別のロック点があり、女性の下唇に第三のロック点がある。これらのロック点は標準動き追跡技術により追跡される。
【００５２】
選択されたロック点には各々一意の識別子が与えられる。次いで、第一の画像におけるロック点の第一の位置が、例えばベクトルの長さおよび角度を用いて定義される。標準動き追跡技術では、各画像に対し、例えば画素群のコントラストの差に基づいて、ロック点の新しい位置が算出される。これは動きすなわちロック点の移動の追跡を可能にする。本発明に係るデジタル放送システムでは、デジタル映像番組における選択されたロック点の移動は常時追跡される。
【００５３】
図６は、本発明に係るデジタル映像番組における選択されたロック点に対するアクティブエリアの定義付けを示す。本発明に係るデジタル放送システムには、単一の画像３５内の選択されたロック点に対応する、定義された不可視のアクティブエリアがある。これらの不可視のアクティブエリアは、本発明に係るデジタル映像番組の各フレームに対し定義することができる。
【００５４】
アクティブエリアは例えばロック点からの最大距離によって定義することができ、こうして円形のアクティブエリアが形成される。アクティブエリアはまた他の形状、例えば矩形または楕円形を持つことができる。幾つかのアクティブエリアが相互に近接して存在する場合、より小さいサイズのアクティブエリアを定義することができる。ロック点の移動が追跡されるときに、不可視のアクティブエリアの位置も対応するロック点に追従する。
【００５５】
図７は、本発明に係るデジタル映像番組におけるベクトルを用いてのロック点の選択およびアクティブエリアの定義付けを示す。本発明に係るデジタル放送システムには、ベクトルｉ３７の長さおよび角度を用いて定義されるロック点がある。円形のアクティブエリア３８を形成するベクトルｊを用いて定義されるアクティブエリアがある。図には、ユーザモニタリングユニットのカーソルの位置を定義するベクトルｋ３６も示されている。ベクトルｋ３６がベクトルｊによって定義されたアクティブエリア３８内に無い場合、対応するデータアプリケーションは起動されない。
【００５６】
本発明に係るデジタル放送システムでは、デジタル映像番組内の選択されたロック点の移動が常時追跡される。デジタル映像番組の各フレームに、選択されたロック点に関する位置情報、すなわちベクトルｉ３７の長さおよび角度がある。
【００５７】
図８は、本発明に係るデジタル映像番組におけるベクトルを用いてのアクティブエリアの定義付けおよびカーソルの移動を示す。本発明に係るデジタル放送システムには、ベクトルｉ４０の長さおよび角度を用いて定義されたロック点がある。円形のアクティブエリア４１を形成するベクトルｊにより定義されたアクティブエリアがある。図には、ユーザモニタリングユニットのカーソルの位置を定義するベクトルｋ３９も示されている。ベクトルｋ３９がベクトルｊによって定義されたアクティブエリア４１内に移動すると、対応するデータアプリケーションが起動される。
【００５８】
図９は、本発明に係るデジタル映像番組における座標を用いてのロック点の選択およびアクティブエリアの定義付けを示す。本発明に係るデジタル放送システムには、座標（ｘａ，ｙａ）４３を用いて定義されるロック点がある。円形のアクティブエリア４４を形成する半径ｒで定義されたアクティブエリアがある。図にはまた、ユーザモニタリングユニットのカーソルの位置を定義する座標（ｘｋ、ｙｋ）４２も示されている。座標（ｘｋ、ｙｋ）４２が半径ｒによって定義されたアクティブエリア４４内に無い場合、対応するデータアプリケーションは起動されない。
【００５９】
本発明に係るデジタル放送システムでは、デジタル映像番組内の選択されたロック点の移動が常時追跡される。デジタル映像番組の各フレームに、選択されたロック点に関する
位置情報、すなわち座標（ｘａ，ｙａ）４３がある。
【００６０】
図１０は、本発明に係るデジタル映像番組における座標を用いてのアクティブエリアの定義付けおよびカーソルの移動を示す。本発明に係るデジタル放送システムには、座標（ｘａ，ｙａ）４６を用いて定義されたロック点がある。円形のアクティブエリア４７を形成する半径ｒにより定義されたアクティブエリアがある。図には、ユーザモニタリングユニットのカーソルの位置を定義する座標（ｘｋ、ｙｋ）４５も示されている。座標（ｘｋ、ｙｋ）４５が半径ｒによって定義されたアクティブエリア４７内に移動すると、対応するデータアプリケーションが起動される。
【００６１】
特定のロック点に対応するアクティブエリアは、ロック点に関連する関数または関数群として定義することができる。またアクティブエリアはフレーム毎に更新するように設定することができる。代替的に、アクティブエリアはＸ個のフレームに対して同一のままであり、Ｘ番目のフレーム毎に更新されるように設定することができる。ここでＸは整数である。
【００６２】
図１１は、データと結合された映像ストリームを受信するための本発明に係る受信システムを示す。本発明に係る受信システムは、受信ユニット４８、モニタリングユニット４９、およびユーザ制御装置５０を含む。提示された受信システムは、デジタル放送システムからの映像ストリームを受信する。デジタル放送システムはマルチプレクサ６を有し、そこで全ての異なる映像番組ストリームおよびデジタルデータストリームが多重番組トランスポートストリームに多重化される。マルチプレクサ６から放送ストリームは送信機ユニット９へ転送される。
【００６３】
送信機ユニット９はトランスポートネットワーク１０でストリームを受信システムの受信ユニット４８に送信する。受信ユニット４８は入来する多重番組ストリームを分離し、現在モニタされている番組ストリームを受信システムのモニタリングユニット４９へ転送する。モニタリングユニット４９は、現在モニタされている番組をユーザに表示する。ユーザは受信ユニット４８およびモニタリングユニット４９をユーザ制御装置５０で制御することができる。受信ユニット４８およびモニタリングユニット４９は一つのユニットとして結合することができる。また、受信ユニット４８、モニタリングユニット４９、およびユーザ制御装置５０を全部一つのユニットとして結合することもできる。
【００６４】
図１２は、データと結合された映像ストリームを受信するための本発明に係る受信システムの別の実施形態を示す。本発明に係る受信システムは、受信ユニット４８、モニタリングユニット４９、およびユーザ制御装置５０、および送信ユニット５１を含む。提示された受信システムは、デジタル放送システムのマルチプレクサ６からの映像ストリームを受信する。マルチプレクサ６から放送ストリームは送信機ユニット９へ転送される。
【００６５】
送信機ユニット９はトランスポートネットワーク１０でストリームを受信システムの受信ユニット４８に送信する。受信ユニット４８は入来する多重番組ストリームを分離し、現在モニタされている番組ストリームを受信システムのモニタリングユニット４９へ転送する。モニタリングユニット４９は、現在モニタされている番組をユーザに表示する。
【００６６】
本発明に係る受信システムでは、入来する多重番組ストリームはアプリケーションをも含み、それは次いでデジタル映像番組内の選択されたロック点の移動を常時追跡するために使用される。
【００６７】
本発明に係る受信システムには送信ユニット５１もあり、それはトランスポートネットワーク５２でユーザからサービスプロバイダ５３へ情報を送信するために使用することができる。ユーザは受信ユニット４８、モニタリングユニット４９、および送信ユニット５１をユーザ制御装置５０で制御することができる。
【００６８】
本発明に係る受信システムでは、送信ユニット５１は、例えば製品またはサービスの購入のために、ユーザからサービスプロバイダ５３へ商取引要求を送信することができる。送信ユニット５１はまた、サービスプロバイダ５３からユーザへの確認を受信するように装備することもできる。受信ユニット４８、モニタリングユニット４９、および送信ユニット５１は一つのユニットとして結合することができる。また、受信ユニット４８、モニタリングユニット４９、ユーザ制御装置５０、および送信ユニット５１を全部一つのユニットとして結合することもできる。
【００６９】
図１３は、本発明に係るモニタリングユニットを示す。本発明に係るモニタリングユニットは、スクリーンディスプレイ５４を有するモニタリング装置４９を含む。スクリーンディスプレイ５４は可動カーソル５５を持ち、また一組の選択ボタン５６を持つこともできる。カーソル５５の移動および選択ボタン５６の選択はユーザ制御装置５０で制御することができる。
【００７０】
本発明に係る受信システムでは、入来する多重番組ストリームはアプリケーションをも含み、次いでそれはさらに、デジタル映像番組内の選択されたロック点の移動を常時追跡するために使用される。選択されたロック点の移動が追跡されるときに、ロック点に関するアクティブエリアの位置はカーソルの移動と常時比較される。
【００７１】
図１４は、本発明に係る受信システムにおけるデータアプリケーションの始動を示す。本発明に係る受信システムのモニタリングユニットは、可動カーソル５５を備えたスクリーンディスプレイ５７を有する。ユーザはユーザ制御装置５０でカーソルの移動を制御することができる。ユーザがカーソルを定義されたアクティブエリアに移動すると、第一のデータアプリケーションが自動的に始動する。
【００７２】
最初にデータアプリケーションは、ユーザに確認プロンプト５８を示し、ユーザがデータアプリケーションを続行することを希望することの確認をユーザに要求することができる。ユーザはユーザ制御装置５０で続行の希望を確認することができる。データアプリケーションは今、選択されたアクティブエリアに応じて情報５９を、例えば製品情報５９を表示し始めることができる。提示した図では、この製品情報５９は、映像番組内の女性が使用している様々な化粧品、すなわち化粧パウダ、皺取りアイクリーム、アイシャドウ、アイライナ、マスカラ、および口紅を提示することができる。
【００７３】
データアプリケーションはまた、ユーザに選択ボタンを表示することもできる。選択ボタンは例えば、製品の購入を確認するボタン６０とすることができる。データアプリケーションはまた、ユーザからの確認無しに直接始動するように設定することもできる。また、データアプリケーションは、ユーザがユーザ制御装置５０で起動することのできるさらなるオプションのプロンプトを表示するように設定することもできる。さらなるオプションのプロンプト表示は、例えばボタン、ハイパーリンク、またはハイライトアクティブエリアにより行なうことができる。
【００７４】
図１５は、本発明に係る受信システムにおけるデータアプリケーションのさらなるオプションの始動を示す。本発明に係る受信システムのモニタリングユニットは、可動カーソル５５を備えたスクリーンディスプレイ６１を有する。ユーザはユーザ制御装置５０でカーソル５５を希望の位置に移動させ、データアプリケーションのさらなるオプションを起動させることができる。
【００７５】
データアプリケーションは、例えば詳細な製品情報６３および製品の購入を確認する選択ボタン６４を表示することができる。提示された図では、この詳細な製品情報６３は、映像番組で女性が使用している皺取りアイクリームの詳細な特徴を提示することができる。
【００７６】
図１６は、本発明に従って結合された映像ストリームとデータを送信および受信するための方法を示す。最初に、映像ストリームのアクティブエリアに対して定義された６５データがある。データおよび映像番組は次いでトランスポートネットワーク１０で受信側に送信される６６。受信側でデータおよび映像番組が受信される６７。その後、データおよび映像番組ストリームはユーザに提示される６８。
【００７７】
図１７は、本発明に従って映像ストリームをデータと結合するための方法を示す。最初に、映像ストリーム中の入来デジタル映像番組の単一の画像に選択された６９ロック点がある。次に、選択されたロック点に対してアクティブエリアが定義される７０。その後、アクティブエリアに対して特定のデータおよびアプリケーションが定義される７１。データおよびアプリケーションが結合された出力デジタル映像番組をいつでも送出することができる。
【００７８】
図１８は、本発明に従って結合された映像ストリームとデータを提示するための方法を示す。最初に、データサービスが存在することがユーザに通知される７２。これは、音声で、またはプロンプト、例えば映像番組に加えられたテキストまたは既知の図形を用いて通知することによって、記録された映像番組自体の中で行なうことができる。サービスが起動すると、カーソルの位置が常時検出される７３。カーソルがアクティブエリアにあることが検出されると７４、データアプリケーションから検索されたデータが提示される７５。
【００７９】
図１９は、本発明に従って結合された映像ストリームとデータを提示するための第二の代替的方法を示す。最初に、データサービスが存在することがユーザに通知される７２。サービスが起動すると、カーソルの位置が常時検出される７３。カーソルがアクティブエリアにあることが検出されると７４、検索可能なデータが存在することがユーザに通知される７６。検索可能なデータがユーザに通知される７６ときに、ユーザ承認が検出される７７。データサービスアプリケーションがユーザ承認を検出すると７７、データアプリケーションから検索されたデータが提示される７５。
【００８０】
図２０は、本発明に従って結合された映像ストリームとデータを提示するための第三の代替的方法を示す。最初に、データサービスが存在することがユーザに通知される７２。サービスが起動すると、カーソルの位置が常時検出される７３。カーソルがアクティブエリアにあることが検出されると７４、データアプリケーションから検索されたデータが提示される７５。データがユーザに提示された７５後で、ユーザは商取引を行なう７８ことができる。本発明に係る受信システムの送信ユニット５１を用いて、ユーザは例えば製品またはサービスの購入のために、ユーザからサービスプロバイダ５３へ商取引要求を送信することができる。送信ユニット５１はまた、サービスプロバイダ５３からユーザへの確認を受信するように装備することもできる。
【００８１】
本発明は、映像ストリームにデジタル情報を結合するための解決法を提供する。それはデジタルテレビジョンネットワーク、第三世代移動体通信ネットワーク、およびＩＰネットワーク（ＩＰ、インターネットプロトコル）など、様々な将来のネットワークで利用することができる。
【図面の簡単な説明】
【００８２】
【図１】先行技術のデジタル放送システムを示す。
【図２】本発明に係るデジタル放送システムを示す。
【図３】本発明に係るデジタル放送システムのデジタル記憶媒体を示す。
【図４】本発明に係るデジタル放送システムにおける複数のアクティブなアプリケーションを作動させる構造を示す。
【図５】本発明に係るデジタル映像番組におけるロック点の選択を示す。
【図６】本発明に係るデジタル映像番組で選択されたロック点に対するアクティブエリアの定義付けを示す。
【図７】本発明に係るデジタル映像番組におけるロック点の選択およびベクトルによるアクティブエリアの定義付けを示す。
【図８】本発明に係るデジタル映像番組におけるベクトルによるアクティブエリアの定義付けおよびカーソルの移動を示す。
【図９】本発明に係るデジタル映像番組におけるロック点の選択および座標によるアクティブエリアの定義付けを示す。
【図１０】本発明に係るデジタル映像番組における座標によるアクティブエリアの定義付けおよびカーソルの移動を示す。
【図１１】データと結合された映像ストリームを受信するための本発明に係る受信システムを示す。
【図１２】データと結合された映像ストリームを受信するための本発明に係る受信システムの別の実施形態を示す。
【図１３】本発明に係るモニタリングユニットを示す。
【図１４】本発明に係る受信システムにおけるデータアプリケーションの始動を示す。
【図１５】本発明に係る受信システムにおけるデータアプリケーションのさらなるオプションの始動を示す。
【図１６】結合された映像ストリームとデータを送信および受信するための本発明に係る方法を示す。
【図１７】映像ストリームをデータと結合するための本発明に係る方法を示す。
【図１８】結合された映像ストリームとデータを提示するための本発明に係る方法を示す。
【図１９】結合された映像ストリームとデータを提示するための本発明に係る第二の代替的方法を示す。
【図２０】結合された映像ストリームとデータを提示するための本発明に係る第三の代替的方法を示す。
【図１】
2005506769.tif 000003
【図２】
2005506769.tif 000004
【図３】
2005506769.tif 000005
【図４】
2005506769.tif 000006
【図５】
2005506769.tif 000007
【図６】
2005506769.tif 000008
【図７】
2005506769.tif 000009
【図８】
2005506769.tif 000010
【図９】
2005506769.tif 000011
【図１０】
2005506769.tif 000012
【図１１】
2005506769.tif 000013
【図１２】
2005506769.tif 000014
【図１３】
2005506769.tif 000015
【図１４】
2005506769.tif 000016
【図１５】
2005506769.tif 000017
【図１６】
2005506769.tif 000018
【図１７】
2005506769.tif 000019
【図１８】
2005506769.tif 000020
【図１９】
2005506769.tif 000021
【図２０】
2005506769.tif 000022
【国際公開パンフレット】
2005506769.tif 000023
2005506769.tif 000024
2005506769.tif 000025
2005506769.tif 000026
2005506769.tif 000027
2005506769.tif 000028
2005506769.tif 000029
2005506769.tif 000030
2005506769.tif 000031
2005506769.tif 000032
2005506769.tif 000033
2005506769.tif 000034
2005506769.tif 000035
2005506769.tif 000036
2005506769.tif 000037
2005506769.tif 000038
2005506769.tif 000039
2005506769.tif 000040
2005506769.tif 000041
2005506769.tif 000042
2005506769.tif 000043
2005506769.tif 000044
2005506769.tif 000045
2005506769.tif 000046
2005506769.tif 000047
2005506769.tif 000048
2005506769.tif 000049
2005506769.tif 000050
2005506769.tif 000051
2005506769.tif 000052
2005506769.tif 000053
2005506769.tif 000054
2005506769.tif 000055
2005506769.tif 000056
2005506769.tif 000057
2005506769.tif 000058
2005506769.tif 000059
2005506769.tif 000060
2005506769.tif 000061
2005506769.tif 000062
2005506769.tif 000063
2005506769.tif 000064
2005506769.tif 000065
2005506769.tif 000066
2005506769.tif 000067
2005506769.tif 000068
2005506769.tif 000069
2005506769.tif 000070
2005506769.tif 000071
2005506769.tif 000072
2005506769.tif 000073
2005506769.tif 000074
2005506769.tif 000075
2005506769.tif 000076
2005506769.tif 000077
2005506769.tif 000078
【手続補正書】
【提出日】平成15年3月24日(2003.3.24)
【手続補正１】
【補正対象書類名】図面
【補正対象項目名】図９
【補正方法】変更
【補正の内容】
【図９】
2005506769.tif 000079
【手続補正２】
【補正対象書類名】図面
【補正対象項目名】図１０
【補正方法】変更
【補正の内容】
【図１０】
2005506769.tif 000080
【手続補正書】
【提出日】平成15年9月18日(2003.9.18)
【手続補正１】
【補正対象書類名】特許請求の範囲
【補正対象項目名】全文
【補正方法】変更
【補正の内容】
【特許請求の範囲】
【請求項１】
デジタル伝送システムでアプリケーションデータを映像番組ストリームに結合するためのデータ結合構成において、
−異なる音声および映像ソースからの記録信号を単一の映像番組ストリームに結合するための処理手段（１５）と、
−選択された映像番組ストリーム内のアクティブエリアを定義するための動き追跡手段（１６）と、
−適切なアプリケーションデータを映像番組ストリーム内の対応するアクティブエリアにリンクするためのリンク手段と、
−トランスポートネットワーク（１０）で映像ストリームを受信側に送信するための送信手段と、
を備えることを特徴とするデータ結合構成。
【請求項２】
前記送信手段が格納および転送手段（１９）と、異なるデジタル映像番組ストリームおよびデジタルデータストリームを多重番組トランスポートストリームに多重化するための多重化手段（６）と、送信手段（９）とを含み、格納および転送手段（１９）が異なるアプリケーション（２０）からのアプリケーションデータを受け取り、適切なアプリケーションデータを多重化手段（６）に転送するように構成することを特徴とする請求項１に記載のデータ結合構成。
【請求項３】
前記動き追跡手段（１６）はアクティブエリアの知識を、格納および転送手段（１９）を介して前記多重化手段（６）に転送することを特徴とする請求項１又は２に記載のデータ結合構成。
【請求項４】
前記動き追跡手段（１６）はアクティブエリアの知識を、システム情報テーブル（８）を介して前記多重化手段（６）に転送することを特徴とする請求項１又は２に記載のデータ結合構成。
【請求項５】
前記動き追跡手段（１６）はアクティブエリアの知識を前記多重化手段（６）に直接転送することを特徴とする請求項１又は２に記載のデータ結合構成。
【請求項６】
前記格納および転送手段（１９）がカルーセルユニット（２５）と、一つまたはそれ以上のクライアントユニット（２１）〜（２３）への接続を有するデータベースサーバ（２４）とを持ち、データベースサーバ（２４）がクライアントユニット（２１）〜（２３）から情報を受け取り、クライアント情報を格納し、クライアント情報をカルーセルユニット（２５）に転送し、かつカルーセルユニット（２５）がアクティブエリアに対応する適切なアプリケーションデータを多重化手段（６）に転送するように構成することを特徴とする請求項２〜５のいずれか一項に記載のデータ結合構成。
【請求項７】
前記格納および転送手段（１９）はまた、データベースサーバ（２４）およびカルーセルユニット（２５）の両方を制御する自動化システム（２６）をも持つことを特徴とする請求項２〜６のいずれか一項に記載のデータ結合構成。
【請求項８】
選択された映像番組ストリーム内のアクティブエリアは、
−ロック点を選択し、
−ロック点付近でアクティブエリアを定義し、
−動き追跡手段（１６）を使用して選択された映像番組ストリームにおけるロック点およびアクティブエリアの動きを追跡する
ことによって定義することを特徴とする請求項２〜７のいずれか一項に記載のデータ結合構成。
【請求項９】
ロック点の動きは、相互に続くフレーム間の相違に基づいて算出することを特徴とする請求項８に記載のデータ結合構成。
【請求項１０】
ロック点はベクトルにより定義することを特徴とする請求項８又は９に記載のデータ結合構成。
【請求項１１】
ロック点は座標により定義されることを特徴とする請求項８又は９に記載のデータ結合構成。
【請求項１２】
特定のロック点に対応するアクティブエリアは、ロック点に関連する関数または関数群として定義することを特徴とする請求項８〜１１のいずれか一項に記載のデータ結合構成。
【請求項１３】
アクティブエリアはフレーム毎に更新することを特徴とする請求項８〜１２のいずれか一項に記載のデータ結合構成。
【請求項１４】
アクティブエリアはＸ個のフレームに対して同一のままであり、Ｘ番目のフレーム毎に更新され、ここでＸは整数であることを特徴とする請求項８〜１２のいずれか一項に記載のデータ結合構成。
【請求項１５】
アクティブエリアのサイズおよび形状は、相互に近接して位置するロック点間の距離に依存することを特徴とする請求項８〜１４のいずれか一項に記載のデータ結合構成。
【請求項１６】
アクティブエリアのサイズおよび形状は、相互に近接して位置するアクティブエリア間の距離に依存することを特徴とする請求項８〜１４のいずれか一項に記載のデータ結合構成。
【請求項１７】
前記データ結合構成は、
−入来する映像ストリームを受信するための受信手段（４８）と、
−番組をユーザに提示するためのモニタリング手段（４９）と、
−受信手段（４８）およびモニタリング手段（４９）を制御するための制御手段（５０）と、
をさらに備えることを特徴とする請求項１〜１６のいずれか一項に記載のデータ結合構成。
【請求項１８】
デジタル伝送システムでアプリケーションデータと結合された映像番組ストリームを提示するためのデータ提示構成において、
−アプリケーションデータが関連映像番組ストリームにリンクされ、かつ異なる映像番組ストリームが全て多重番組トランスポートストリームに多重化されて成るデジタル放送システムから、入来する映像ストリームを受信するための受信手段（４８）と、
−番組をユーザに提示するためのモニタリング手段（４９）と、
−受信手段（４８）およびモニタリング手段（４９）を制御するための制御手段（５０）と、
を備えることを特徴とするデータ提示構成。
【請求項１９】
受信ユニット（４８）およびモニタリングユニット（４９）は一つのユニットとして結合することを特徴とする請求項１８に記載のデータ提示構成。
【請求項２０】
受信ユニット（４８）、モニタリングユニット（４９）、およびユーザ制御装置（５０）は一つのユニットとして結合することを特徴とする請求項１８に記載のデータ提示構成。
【請求項２１】
前記データ提示構成はまた、トランスポートネットワーク（５２）でユーザからサービスプロバイダ（５３）へ情報を送信するための送信手段（５１）をも含むことを特徴とする請求項１８に記載のデータ提示構成。
【請求項２２】
前記制御装置（５０）は、送信ユニット（５１）を制御するためにも使用されることを特徴とする請求項２１に記載のデータ提示構成。
【請求項２３】
送信ユニット（５１）は、ユーザからサービスプロバイダ（５３）へ商取引要求を送信するように装備することを特徴とする請求項２１又は２２に記載のデータ提示構成。
【請求項２４】
送信ユニット（５１）は、サービスプロバイダ（５３）からユーザへの確認を受信するように装備することを特徴とする請求項２１〜２３のいずれか一項に記載のデータ提示構成。
【請求項２５】
受信ユニット（４８）、モニタリングユニット（４９）、および送信ユニット（５１）は一つのユニットとして結合することを特徴とする請求項２１〜２４のいずれか一項に記載のデータ提示構成。
【請求項２６】
受信ユニット（４８）、モニタリングユニット（４９）、およびユーザ制御装置（５０）、送信ユニット（５１）は一つのユニットとして結合することを特徴とする請求項２１〜２４のいずれか一項に記載のデータ提示構成。
【請求項２７】
前記モニタリングユニット（４９）は、可動カーソル（５５）を備えたスクリーンディスプレイ（５４）、（５７）と、カーソル位置検出用の手段とを持つことを特徴とする請求項１８〜２６のいずれか一項に記載のデータ提示構成。
【請求項２８】
入来する多重番組ストリームが、モニタリングユニット（４９）用の可動カーソル（５５）を生成するために使用されるアプリケーションをも含むことを特徴とする請求項２７に記載のデータ提示構成。
【請求項２９】
前記可動カーソル（５５）はユーザ制御装置（５０）により制御することを特徴とする請求項２７又は２８に記載のデータ提示構成。
【請求項３０】
入来する多重番組ストリームは、デジタル映像番組内の選択されたロック点の動きを常に追跡し、かつロック点に関連するアクティブエリアの位置をカーソルの移動と常に比較するために使用されるアプリケーションをも含むことを特徴とする請求項２７〜２９のいずれか一項に記載のデータ提示構成。
【請求項３１】
前記スクリーンディスプレイ（５４）、（５７）は一組の選択ボタン（５６）を有しており、前記選択ボタン（５６）はユーザ制御装置（５０）により制御することができることを特徴とする請求項３０に記載のデータ提示構成。
【請求項３２】
定義されたアクティブエリアにカーソルを移動させたときに、第一のデータアプリケーションが自動的に始動することを特徴とする請求項３０又は３１に記載のデータ提示構成。
【請求項３３】
データアプリケーションは最初にユーザに確認プロンプト（５８）を示し、ユーザがデータアプリケーションを続行することを希望することをユーザ制御装置（５０）で確認するようにユーザに要求することを特徴とする請求項３０〜３２のいずれか一項に記載のデータ提示構成。
【請求項３４】
データアプリケーションは、選択されたアクティブエリアに関連する情報（５９）を示すことを特徴とする請求項３０〜３３のいずれか一項に記載のデータ提示構成。
【請求項３５】
データアプリケーションはユーザに選択ボタンを表示することを特徴とする請求項３４に記載のデータ提示構成。
【請求項３６】
データアプリケーションは製品の購入を確認する選択ボタン（６０）、（６４）を示すことを特徴とする請求項３５に記載のデータ提示構成。
【請求項３７】
映像ストリームをデータと結合するための方法において、
−映像ストリームにおける入来デジタル映像番組の単一画像でロック点を選択するステップ（６９）と、
−選択されたロック点に対しアクティブエリアを定義するステップ（７０）と、
−アクティブエリアに対しデータおよびアプリケーションを定義するステップ（７１）と、
を含むことを特徴とする方法。
【請求項３８】
前記方法は、
−データおよび映像番組をトランスポートネットワーク（１０）で受信側に送信するステップ（６６）と、
−データおよび映像番組を受信側で受信するステップ（６７）と、
−データおよび映像番組ストリームをユーザに提示するステップ（６８）と、
をさらに含むことを特徴とする請求項３７に記載の方法。
【請求項３９】
結合された映像ストリームとデータを提示するための方法において、
−データサービスが存在することをユーザに告げるステップ（７２）と、
−カーソルの位置を検出し（７３）、カーソルの位置と、多重番組トランスポートストリームで受信したアプリケーションによって検出されたアクティブエリアの位置とを比較するステップと、
−カーソルがアクティブエリアにあることが検出されたとき（７４）に、データアプリケーションからの検索データを提示するステップ（７５）と、
を含むことを特徴とする方法。
【請求項４０】
カーソルがアクティブエリアにあることが検出されたとき（７４）に、
−データサービスが存在することがユーザに告げられ（７２）、
−ユーザ承認が検出され（７７）、
−データアプリケーションからの検索データが提示される（７５）
ことを特徴とする請求項３９に記載の提示方法。
【請求項４１】
デジタル伝送システムで商取引を実行するための方法において、
−データサービスが存在することをユーザに告げるステップ（７２）と、
−カーソルの位置を検出するステップ（７３）と、
−カーソルがアクティブエリアにあることが検出されたとき（７４）に、データアプリケーションからの検索データを提示するステップ（７５）と、
−ユーザが商取引を実行するステップ（７８）と、
を含むことを特徴とする方法。
【国際調査報告】
2005506769.tif 000081
2005506769.tif 000082
2005506769.tif 000083